(57)【要約】【課題】複数の店舗が同時に販売運営し、かつ、いずれの店舗のＰＯＳ端末装置でも商品の精算ができる複合型店舗において、ランダムに投入される複数の商品データを店舗ごとに分類登録し、見やすく、かつ有用なレシートを発行する。【解決手段】予め、複数の店舗コードに対応する、各々の店舗メッセージを保持し、少なくとも店舗コードと、商品コード、価格とを備えた商品データを投入し、投入された各商品データを仮登録し、全商品データ投入後、仮登録された各商品データから店舗コードを識別して各商品データを店舗コード毎に分類登録し、店舗コード毎に、分類登録された商品データと、対応する店舗メッセージとをまとめて印刷する。【選択図】図１
2005063281.tif 000002
【特許請求の範囲】
【請求項１】
商品データの登録を行う装置であって、
少なくとも店舗コードと、商品コードと、価格とを備えた商品データを投入する手段と、
複数の店舗コードに対応する、各々の店舗メッセージを保持する店舗情報記憶手段と、
投入された各商品データを仮登録する手段と、
仮登録された各商品データから店舗コードを識別して各商品データを店舗コード毎に分類登録する手段と、
店舗コード毎に、分類登録された商品データと、対応する店舗メッセージとをまとめて印刷する手段とを有することを特徴とする商品データ登録装置。
【請求項２】
商品データの登録を行う方法であって、
予め、複数の店舗コードに対応する、各々の店舗メッセージを保持し、
少なくとも店舗コードと、商品コード、価格とを備えた商品データを投入し、
投入された各商品データを仮登録し、
全商品データ投入後、仮登録された各商品データから店舗コードを識別して各商品データを店舗コード毎に分類登録し、
店舗コード毎に、分類登録された商品データと、対応する店舗メッセージとをまとめて印刷することを特徴とする商品データ登録方法。
【請求項３】
請求項２に記載の商品データ登録方法であって、
さらに、値引き対象商品コードを含む値引き条件データを保持し、
分類登録時に値引き対象商品コードを参照し、仮登録された各商品データから前記値引対象商品コードの商品データを抽出し、
全商品データ登録後、前記抽出した商品コードから所定の値引き条件を満たした値引き商品データを抜き出して値引きデータとし登録し、
店舗コード毎に、分類登録された商品データと、対応する店舗メッセージとをまとめて印刷し、
さらに、前記抜き出した値引きデータを印刷することを特徴とする商品データ登録方法。
【発明の詳細な説明】
【技術分野】
【０００１】
本発明は、ＰＯＳ端末装置、又はキャッシュレジスタ装置等の、商品データ登録装置および商品データ登録方法に関する。
【背景技術】
【０００２】
従来から、複数の店舗が同時に販売運営し、かつ、いずれの前記店舗のＰＯＳ端末装置でも前記複数の店舗の商品データを投入して精算できる複合型店舗がある。
【０００３】
このような複合型店舗の例を図１６に示す。この例では、ＰＯＳ端末装置５３〜５５は、投入した商品の明細と、Ａ店舗５１の「店舗名等のメッセージ」とを印刷したレシートを発行し、ＰＯＳ端末装置５６〜５９は、投入した商品データの明細と、Ｂ店舗５２の「店舗名等のメッセージ」とを印刷したレシートを発行する。このような、複数の「店舗名等のメッセージ」を印刷したレシートを、一つのＰＯＳ端末装置で発行する技術が開示されている。（特許文献１参照）
【特許文献１】特開平５−１４３８６２号公報  掲記技術では、予め複数店舗の店名メッセージ等を記憶し、店コードを指示入力することにより、レシートの所定の位置に指示された店名等のメッセージを印刷する。
【０００４】
図１６に示す複合型店舗に、掲記技術を用いて、予めＡ店舗５１とＢ店舗５２の店名メッセージ等を記憶した７台のＰＯＳ端末装置５３〜５９を設置する。ここで、ＰＯＳ端末装置５３〜５５にはＡ店舗５１の店コードを指示し、ＰＯＳ端末装置５６〜５９にはＢ店舗５２の店コードを指示することで、ＰＯＳ端末装置５３〜５５では、投入した商品データの明細と、Ａ店舗５１の「店舗名等のメッセージ」とを印刷したレシートを発行し、ＰＯＳ端末装置５６〜５９では、投入した商品データの明細と、Ｂ店舗５２の「店舗名等のメッセージ」とを印刷したレシートを発行することが可能となる。
【０００５】
しかし、このような複合型店舗で発行するレシートには、通常、投入した商品データの明細と、精算した際の店舗の「店舗名称ロゴ／連絡先」、「コマーシャルメッセージ」等の「店舗名等のメッセージ」が印刷されているため、買い上げた各商品がどの店舗の商品であるかは印刷されていない。
【０００６】
例えば顧客が、Ａ店舗５１の商品をＰＯＳ端末装置５３で精算した場合、発行されるレシートには、投入した商品データの明細と、Ａ店舗５１の「店舗名等のメッセージ」とが印刷されている。
【０００７】
しかし顧客が、Ａ店舗５１の商品Ａ１〜商品Ａ４と、Ｂ店舗５２の商品Ｂ１〜商品Ｂ４とを、ＰＯＳ端末装置５６で精算した場合、レシートには、図１７に示すごとく、投入した商品データの明細と、Ｂ店舗５２の「店舗名等のメッセージ」とが印刷されている。
【０００８】
レシートに印刷された「店舗名称ロゴ／連絡先」は、顧客が次回購入、あるいは返品等のために、買い上げた商品の店舗を確認する場合の重要な要素である。しかし、前述の複合型店舗の場合、このようなＰＯＳ端末装置が発行するレシートでは、実際に買い上げた商品を販売している店舗を確認できない。
【０００９】
このような複合型店舗で、顧客が適切な「店名等のメッセージ」が印刷されたレシートを得るためには、非効率ではあるが、顧客自らが各店舗（この例では、Ａ店舗とＢ店舗）の商品を分類し、各店舗のチェックアウトレーンに並ぶ等の工夫が必要であった。
【発明の開示】
【発明が解決しようとする課題】
【００１０】
本発明は、複数の店舗が同時に販売運営し、かつ、いずれの店舗のＰＯＳ端末装置でも商品の精算ができる複合型店舗において、ランダムに投入される複数の商品データを店舗ごとに分類登録し、見やすく、かつ有用なレシートを発行することを目的とする。
【課題を解決するための手段】
【００１１】
本発明は、商品データの登録を行う装置であって、少なくとも店舗コードと、商品コードと、価格とを備えた商品データを投入する手段と、複数の店舗コードに対応する、各々の店舗メッセージを保持する店舗情報記憶手段と、投入された各商品データを仮登録する手段と、仮登録された各商品データから店舗コードを識別して各商品データを店舗コード毎に分類登録する手段と、店舗コード毎に、分類登録された商品データと、対応する店舗メッセージとをまとめて印刷する手段とを有することを特徴とする。
【００１２】
また、本発明は、商品データの登録を行う方法であって、予め、複数の店舗コードに対応する、各々の店舗メッセージを保持し、少なくとも店舗コードと、商品コード、価格とを備えた商品データを投入し、投入された各商品データを仮登録し、全商品データ投入後、仮登録された各商品データから店舗コードを識別して各商品データを店舗コード毎に分類登録し、店舗コード毎に、分類登録された商品データと、対応する店舗メッセージとをまとめて印刷することを特徴とする。
【００１３】
さらに、値引き対象商品コードを含む値引き条件データを保持し、分類登録時に値引き対象商品コードを参照し、仮登録された各商品データから前記値引対象商品コードの商品データを抽出し、全商品データ登録後、前記抽出した商品コードから所定の値引き条件を満たした値引き商品データを抜き出して値引きデータとし登録し、店舗コード毎に、分類登録された商品データと、対応する店舗メッセージとをまとめて印刷し、さらに、前記抜き出した値引きデータを印刷することを特徴とする。
【発明の効果】
【００１４】
本発明により、ランダムに投入された複数の店舗の商品データを店舗毎に分類し、各店舗の「店舗名称ロゴ／連絡先」、「コマーシャルメッセージ」等とまとめて見やすいレシートを発行することが可能となる。
【００１５】
さらに、店舗に跨がった値引きについても適切に処理を行い、見やすいレシートを発行することが可能となる。
【発明を実施するための最良の形態】
【００１６】
一回に精算される全商品データの投入完了後、各商品データが備える店舗コード毎に分類登録し、店舗コード毎に分類登録された商品データに基づく商品明細と、対応する「店舗名称ロゴ／連絡先」、「コマーシャルメッセージ」等とをまとめて印刷することにより、見やすいレシートを発行する。
【実施例１】
【００１７】
図１は、本発明による商品データ登録装置の実施例１の構成概要を示し、図２〜図４は、実施例１の各処理におけるフローチャートを示す。図１を参照し、各処理フローについて説明する。
【００１８】
図２に示す初期化処理において、ステップＳ２１では、通常の商品データ登録装置と同様の初期化処理を行う。ステップＳ２２では、店舗情報記憶手段１４に、使用する店舗コード数分の店舗領域を確保する。図１の例では、店舗Ａ、および店舗Ｂ、の二つの店舗領域を確保している。
【００１９】
ステップＳ２３では、ステップＳ２２で確保した各店舗領域にそれぞれの店舗コードを設定し、さらにステップＳ２４で、各店舗領域に、店舗コードに対応する店舗ロゴと、コマーシャルメッセージとを設定する。なお、ステップＳ２２〜Ｓ２４は、通常の初期化処理（ステップＳ２１）の前に行っても良い。
【００２０】
図３に示す商品データの仮登録処理において、ステップＳ３１では、図１に示す商品データ投入手段１１（例えばバーコードスキャナー、あるいは入力キー等）により投入された商品データを商品データ仮登録手段１２に仮登録する。次に、ステップＳ３２で「小計」、あるいは「中止」キーの押下の有無を確認する。「小計」、あるいは「中止」キーの押下がなければ、ステップＳ３１に戻り、次の商品データの投入を待機する。
【００２１】
「小計」、あるいは「中止」キーの押下があった場合、ステップＳ３３に進み、押下されたキーが「中止」キーの押下の場合は、一連の処理がキャンセルされたものとして処理を終了し、「中止」キーの押下ではない場合、すなわち、「小計」キー押下の場合は、図４の分類／印刷処理に進む。
【００２２】
図４に示す分類登録／印刷処理において、商品データ分類登録手段１３は、「小計」キーの押下を検出すると分類登録処理を開始する。ステップＳ４１では、商品データ仮登録手段１２に仮登録された商品データを１件読み込む。ステップＳ４２では、読み込んだ商品データから、店舗コード、商品コード、価格他を抽出する。ステップＳ４３では、当該商品データを、店舗情報記憶手段１４の、該当する店舗コードが設定された店舗領域に登録する。
【００２３】
ステップＳ４４では、商品データ仮登録手段１２に未登録の商品データが残っているかを確認する。商品データ仮登録手段１２に未登録の商品データがある場合は、ステップＳ４１に戻り、未登録の商品データがない場合は、ステップＳ４５に進み、店舗領域毎に登録された商品の明細と、店舗ロゴと、コマーシャルメッセージとを編集し、ステップＳ４６で、レシート印刷を行う。
【００２４】
図５は、図１６に示す複合型店舗のＰＯＳ端末装置５３〜５９に、本実施例を適用した場合のレシート印刷例を示す。この例では、ランダムに投入されたＡ店舗の商品Ａ１〜商品Ａ４のデータ、およびＢ店舗の商品Ｂ１〜商品Ｂ４のデータを店舗毎に分類登録した後、Ａ店舗の商品明細には、Ａ店舗のロゴ、およびコマーシャルメッセージを先頭に付けて印刷し、同様にしてＢ店舗の商品明細には、Ｂ店舗のロゴ、およびコマーシャルメッセージを先頭に付けてを印刷し、最後に合計金額、預かり金額、釣り銭を印刷している。
【００２５】
これにより、複数店舗に跨がる商品データがランダムに投入されても、見やすいレシートを発行することが可能となる。
【実施例２】
【００２６】
図６〜図９は、それぞれ実施例２の、構成概要、初期化処理のフローチャート、分類登録処理のフローチャート、値引き処理／印刷のフローチャートを示す。なお、図６において、符号が図１と等しい構成要素は、図１の構成要素と同様の機能を有するものとする。
【００２７】
図７に示す実施例２の初期化処理においては、実施例１の初期化処理に加えて、ステップＳ５２で、店舗情報記憶手段２４に、値引き商品情報領域を確保し、ステップＳ５３で、確保した値引き商品情報領域に値引き条件データを設定する。値引き条件データとは、投入された商品データに、例えば、Ａ店舗の商品ＡｊとＢ店舗の商品Ｂｋとが投入されている場合は、ｍ円値引、あるいは、商品Ａｘがｙ個投入される毎にｚ円値引き、等の条件データである。
【００２８】
実施例２における、商品データの仮登録処理は、実施例１と同様である。
【００２９】
図８に示す、実施例２の分類登録処理において、ステップＳ６２では、店舗情報記憶手段２４に保持した値引き条件データを参照し、読み込まれた商品データは値引き対象商品かを確認する。当該商品が、値引き対象商品の場合は、ステップＳ６６で、値引き商品情報領域に、値引き対象商品データとして、商品コード、価格他を登録し、当該商品が値引き対象商品でない場合は、実施例１と同様に、当該商品データから、店舗コード、商品コード、価格他を抽出し（ステップＳ６３）、当該商品データを、該当する各店舗領域に登録する（ステップＳ６４）。
【００３０】
ステップＳ６５では、商品データ仮登録手段１２に未登録の商品データがあるか確認し、未登録の商品データがある場合は、次の商品データを読み込み、未登録の商品データがない場合は、図９に示す、値引き処理／印刷に進む。
【００３１】
値引き処理／印刷においては、ステップＳ７１で、値引き商品情報領域に登録された値引き対象商品データを読み込む。ステップＳ７２では、読み込んだ値引き対象商品データが、初期化処理で設定した値引き条件を満たしているかを確認し、条件を満たしている場合は、値引き金額と、当該商品データとを、店舗情報記憶手段２４の値引き商品情報領域に値引きデータとして登録し（ステップＳ７３）、条件を満たしていない場合は、そのままステップＳ７４に進む。
【００３２】
ステップＳ７４では、店舗領域毎に登録された商品の明細と、店舗ロゴと、コマーシャルメッセージとを編集し、さらに値引き商品情報領域に登録した値引きデータを編集してレシートを印刷する（ステップＳ７５）。
【００３３】
図１０は、実施例２を適用した場合のレシート印刷例を示す。この例では、ランダムに投入されたＡ店舗の商品Ａ１〜商品Ａ４のデータ、およびＢ店舗の商品Ｂ１〜商品Ｂ４のデータを店舗毎に分類登録した後、Ａ店舗の商品明細には、Ａ店舗のロゴ、およびコマーシャルメッセージを先頭に付け、値引き商品（この例では商品Ａ２）の先頭に＃マークを付けて明示して各商品の明細を印刷し、同様にしてＢ店舗の商品明細には、Ｂ店舗のロゴ、およびコマーシャルメッセージを先頭に付け、値引き商品（この例では商品Ｂ２）の先頭に＃マークを付けて明示して各商品の明細を印刷し、最後に値引き小計、合計、預かり、釣り銭を印刷している。
【００３４】
これにより、複数店舗に跨がる商品データがランダムに投入されても、値引き商品を明示し、かつ値引き金額を分かりやすく印刷したレシートを発行することが可能となる。
【００３５】
図１１は、実施例１の店舗情報記憶手段１４に、さらに各店舗共通の店舗情報領域を設定して各店舗共通の店舗ロゴ、コマーシャルメッセージ保持し、各店舗の商品明細と、店舗ロゴと、コマーシャルメッセージの印刷に先立ち、レシートの先頭に当該メッセージを印刷した例を示す。
【００３６】
これにより、例えば、複合型店舗共通の、休業日、イベントの案内等が可能になる。なお、当該メッセージの印刷位置は、各店舗の商品明細と、店舗ロゴと、コマーシャルメッセージの後であっても良い。
【００３７】
図１２は、実施例１の店舗情報記憶手段１４の各店舗情報領域に、さらに投入商品点数領域を設定し、分類登録処理時に、店舗毎に投入商品点数を累積し、店舗毎の投入商品点数を合わせて印刷した例を示す。
【００３８】
これにより、店舗毎の投入商品点数を容易に確認することが可能となる。
【００３９】
図１３は、実施例１の店舗情報記憶手段１４の各店舗情報領域に、さらに小計領域を設定し、分類登録処理時に、店舗毎に登録した商品の金額を累積して小計とし、店舗毎の小計を合わせて印刷した例を示す。
【００４０】
これにより、店舗毎の小計を容易に確認することが可能となる。
【００４１】
図１４は、実施例２の店舗情報記憶手段１４の各店舗情報領域に、さらに値引き情報領域を設定すると共に、値引きデータを保持し、値引き処理時に、値引きデータを参照して店舗毎に値引き金額を登録し、店舗毎に、値引き金額を合わせて印刷した例を示す。
【００４２】
これにより、店舗毎の値引き金額を容易に確認することが可能となる。
図１５は、実施例１の店舗情報記憶手段１４の各店舗情報領域に、さらにポイント情報領域を設定すると共に、分類登録後さらに、店舗コード毎にポイント情報を集計し、店舗毎に、集計したポイント情報を合わせて印刷した例を示す。
【００４３】
これにより、店舗毎のポイントを容易に確認することが可能となる。
（付記１）
商品データの登録を行う装置であって、少なくとも店舗コードと、商品コードと、価格とを備えた商品データを投入する手段と、複数の店舗コードに対応する、各々の店舗メッセージを保持する店舗情報記憶手段と、投入された各商品データを仮登録する手段と、仮登録された各商品データから店舗コードを識別して各商品データを店舗コード毎に分類登録する手段と、店舗コード毎に、分類登録された商品データと、対応する店舗メッセージとをまとめて印刷する手段とを有することを特徴とする商品データ登録装置。
（付記２）
商品データの登録を行う方法であって、予め、複数の店舗コードに対応する、各々の店舗メッセージを保持し、少なくとも店舗コードと、商品コード、価格とを備えた商品データを投入し、投入された各商品データを仮登録し、全商品データ投入後、仮登録された各商品データから店舗コードを識別して各商品データを店舗コード毎に分類登録し、店舗コード毎に、分類登録された商品データと、対応する店舗メッセージとをまとめて印刷することを特徴とする商品データ登録方法。
（付記３）
付記２に記載の商品データ登録方法であって、さらに、値引き対象商品コードを含む値引き条件データを保持し、分類登録時に値引き対象商品コードを参照し、仮登録された各商品データから前記値引対象商品コードの商品データを抽出し、全商品データ登録後、前記抽出した商品コードから所定の値引き条件を満たした値引き商品データを抜き出して値引きデータとし登録し、店舗コード毎に、分類登録された商品データと、対応する店舗メッセージとをまとめて印刷し、さらに、前記抜き出した値引きデータを印刷することを特徴とする商品データ登録方法。
（付記４）
付記２に記載の商品データ登録方法であって、さらに各店舗共通の店舗情報領域を設定して各店舗共通の店舗ロゴ、コマーシャルメッセージ保持し、各店舗の商品明細と、店舗ロゴと、コマーシャルメッセージの印刷に先立ち、レシートの先頭に当該メッセージを印刷することを特徴とする商品データ登録方法。
（付記５）
付記２に記載の商品データ登録方法であって、さらに投入商品点数領域を設定し、分類登録処理時に、店舗毎に投入商品点数を累積し、店舗毎の投入商品点数を合わせて印刷することを特徴とする商品データ登録方法。
（付記６）
付記２に記載の商品データ登録方法であって、さらに小計領域を設定し、分類登録処理時に、店舗毎に登録した商品の金額を累積して小計とし、店舗毎の小計を合わせて印刷することを特徴とする商品データ登録方法。
（付記７）
付記２に記載の商品データ登録方法であって、さらに値引き情報領域を設定すると共に、値引きデータを保持し、値引き処理時に、値引きデータを参照して店舗毎に値引き金額を登録し、店舗毎に、値引き金額を合わせて印刷することを特徴とする商品データ登録方法。
（付記８）
付記２に記載の商品データ登録方法であって、さらにポイント情報領域を設定すると共に、分類登録後さらに、店舗コード毎にポイント情報を集計し、店舗毎に、集計したポイント情報を合わせて印刷することを特徴とする商品データ登録方法。
【産業上の利用可能性】
【００４４】
以上説明した如く、複数の店舗で構成される複合型店舗においても、本発明による、一つの商品データ登録装置により、ランダムに投入される複数の店舗の商品を分類登録し、見やすいレシートを発行することが可能となる。
【図面の簡単な説明】
【００４５】
【図１】実施例１の構成概要
【図２】実施例１の初期化処理フローチャート
【図３】実施例１の商品データの仮登録処理フローチャート
【図４】実施例１の分類登録／印刷処理フローチャート
【図５】各店舗の「店舗名称ロゴ」と「コマーシャルメッセージ」印刷例
【図６】実施例２の構成概要
【図７】実施例２の初期化処理フローチャート
【図８】実施例２の分類登録処理フローチャート
【図９】実施例２の値引き処理／印刷フローチャート
【図１０】複数店舗に跨がった値引き印刷例
【図１１】各店舗共通の「店舗メッセージ」印刷例
【図１２】店舗毎の登録点数印刷例
【図１３】店舗毎の登録小計印刷例
【図１４】店舗毎の値引き金額印刷例
【図１５】ポイント情報の印刷例
【図１６】複合型店舗の例
【図１７】従来のＢ店舗のＰＯＳ端末で精算した場合の印刷例
【符号の説明】
【００４６】
１０、２０    商品データ登録装置
１１    商品データ投入手段
１２    商品データ仮登録手段
１３、２３    商品データ分類登録手段
１４、２４    店舗情報記憶手段
１５    印刷手段
【図１】
2005063281.tif 000003
【図２】
2005063281.tif 000004
【図３】
2005063281.tif 000005
【図４】
2005063281.tif 000006
【図５】
2005063281.tif 000007
【図６】
2005063281.tif 000008
【図７】
2005063281.tif 000009
【図８】
2005063281.tif 000010
【図９】
2005063281.tif 000011
【図１０】
2005063281.tif 000012
【図１１】
2005063281.tif 000013
【図１２】
2005063281.tif 000014
【図１３】
2005063281.tif 000015
【図１４】
2005063281.tif 000016
【図１５】
2005063281.tif 000017
【図１６】
2005063281.tif 000018
【図１７】
2005063281.tif 000019